(57)【要約】【課題】秘匿すべき情報を連続頁に持った冊子どうし、あるいは秘匿すべき情報を連続頁に持った冊子とそうでない情報を持った冊子を簡単な綴じ構造にて安価に得られるようにする。【解決手段】第一の冊子用紙部１ａ、１ｂ、１ｃと第二の冊子用紙部２ａ、２ｂ、２ｃが切り離し可能なミシン目５を介して連接された複数の用紙を重ね合わせ、第一の冊子用紙部１ａ・・はその内側となる紙面に秘匿情報が印刷されて前記ミシン目５と反対側の辺どうしを綴じ部３で綴じ合わせ、第二の冊子用紙部２ａ・・はその内側となる紙面に秘匿情報が印刷されて前記ミシン目５と反対側の辺どうしを綴じ部４で綴じ合わせるか、秘匿情報の印刷なしに前記ミシン目５の側どうしを綴じ部４で綴じ合わせるか、それらの綴じ状態を複合させることによって、上記の目的を達成する。【選択図】図１
2006205706.tif 000002
【特許請求の範囲】
【請求項１】
第一の冊子用紙部と第二の冊子用紙部が切り離し可能なミシン目を介して連接された複数の用紙を重ね合わせ、第一の冊子用紙部はその内側となる紙面に秘匿情報が印刷されて前記ミシン目と反対側の辺どうしを綴じ合わせ、第二の冊子用紙部はその内側となる紙面に秘匿情報が印刷されて前記ミシン目と反対側の辺どうしを綴じ合わせるか、秘匿情報の印刷なしに前記ミシン目の側どうしを綴じ合わせるか、それらの綴じ状態を複合させたことを特徴とする冊子体。
【請求項２】
用紙は、第一の冊子用紙部または第二の冊子用紙部を有していないものを含む請求項１に記載の冊子体。
【請求項３】
綴じ部が、糊付けであることを特徴とする請求項１、２のいずれか1項に記載の冊子体。
【請求項４】
複数枚の用紙に、名寄せ用バーコードを設けたことを特徴とする請求項１〜３のいずれか1項に記載の冊子体。
【請求項５】
第一の冊子用紙部幅分と第二の冊子用紙部幅分の幅を有して長手方向に連続した複数のロール紙を搬送しながら、第一の冊子用紙部と第二の冊子用紙部との間に冊子分離用のミシン目を連続に入れる工程と、
冊子分離用のミシン目が入れられた複数のロール紙を搬送しながら重畳させて、それらの第一の冊子用紙部どうしは前記ミシン目と反対側の辺どうしを連続に綴じ合わせ、第二の冊子用紙部は前記ミシン目と反対側の辺どうしか、前記ミシン目の側どうしか、それらを複合させて連続に綴じ合わせて、第一の冊子用紙部の内側となる紙面を秘匿紙面とし、第二の冊子用紙部の内側となる紙面を前記ミシン目側で綴じる場合に限って秘匿紙面とする工程と、
前記第一、第二の冊子用紙部の紙面に綴じ工程前に必要情報の印刷をし、秘匿紙面とされる紙面への印刷は秘匿情報のみ、または秘匿情報を含んで行う工程と、
綴じ合わせ後の複数のロール紙を、長手方向の冊子体単位に裁断して第一、第二の冊子用紙部がミシン目を介し一連に並んだ冊子体に分割する工程と、
を備えたことを特徴とする冊子体の製造方法。
【請求項６】
秘匿情報の印刷は、綴じられる直前の工程で行う請求項５に記載の冊子体の製造方法。
【請求項７】
複数のロール紙には、第一、第二の冊子用紙部の一方のみが長手方向に連続したロール紙をも含む請求項５、６のいずれか1項に記載の冊子体の製造方法。
【発明の詳細な説明】
【技術分野】
【０００１】
本発明は製本された印刷物などの冊子体に関し、より詳しくは秘匿情報を隠蔽できるように印刷した部分を有し、第一、第二の冊子部分が分離できるように一連に並んだ冊子体とその製造方法に関するものである。
【背景技術】
【０００２】
片綴じの本自体、あるいは本の表紙を除いて、あるいは特定の内部頁だけを上下に分離できるように切り目を入れておく技術が既に知られている（例えば、特許文献１参照。）。このような本は、一冊分として製造したものを上下の２冊に分割することができるし、部分的に分割したものとすることができる。
【０００３】
一方、このような片綴じの本で、印刷内容を秘匿情報としておくのに、秘匿情報頁を２つ折りにして綴じ込む、いわゆる袋綴じとすることが常套手段となっている。
【０００４】
また、別に、特定者（顧客）のために個人情報を印字して渡すパンフレット形式の印刷物がある。例えば、生命保険会社の保険加入の勧誘用パンフレット・契約案内、旅行パンフレット、学習塾の親子向けパンフレットのような印刷物には一般的な情報の他に、特定者のための個人情報を印字するために印字予定部が設けられて、その印字予定部にプリンタ等で印字してから製本され、手渡したり郵送したりしていて、そのために、前記印刷物が複数枚の用紙を重ね合わせて製本して構成される場合、特定者の秘匿情報を印字して、それら複数枚の紙を重ね合わせて、冊子構成紙片をステープラー等で中綴じして、綴じ部を境に２折りすることにより製本している。
【特許文献１】特開平１１−１７０７２９号公報
【発明の開示】
【発明が解決しようとする課題】
【０００５】
しかし、個人情報は秘匿情報として隠蔽できる冊子構造が適しているが、中綴じ方式では袋綴じ方式は採用できないので、必要に応じ封筒に入れて封をする必要があり、手間でコスト高になる。
【０００６】
特に、親向け冊子と子供向け冊子、個人情報冊子と一般情報冊子などのように、秘匿すべき情報を連続頁に持った冊子どうし、あるいは秘匿すべき情報を連続頁に持った冊子とそうでない情報を持った冊子を、特許文献１に記載のような分割できる冊子として提供するには、袋綴じ技術を採用するにしても、上下に分割した本の双方ともに、見開き頁分と袋綴じ分とが複合したままになるし、袋綴じ頁が複数に亘る場合それぞれの外側面は秘匿紙面にはならないので、いずれの場合でも実現できない。
【０００７】
本発明の目的は、秘匿すべき情報を連続頁に持った冊子どうし、あるいは秘匿すべき情報を連続頁に持った冊子とそうでない情報を持った冊子を簡単な綴じ構造にて安価に得られる冊子体とその製造方法を提供することにある。
【課題を解決するための手段】
【０００８】
上記目的を達成するるため、本発明の冊子体は、第一の冊子用紙部と第二の冊子用紙部が切り離し可能なミシン目を介して連接された複数の用紙を重ね合わせ、第一の冊子用紙部はその内側となる紙面に秘匿情報が印刷されて前記ミシン目と反対側の辺どうしを綴じ合わせ、第二の冊子用紙部は前記ミシン目の沿う側または前記ミシン目と反対側の辺どうしを綴じ合わせたことを基本的な特徴としている。
【０００９】
よりよくは、第一の冊子用紙部と第二の冊子用紙部が切り離し可能なミシン目を介して連接された複数の用紙を重ね合わせ、第一の冊子用紙部はその内側となる紙面に秘匿情報が印刷されて前記ミシン目と反対側の辺どうしを綴じ合わせ、第二の冊子用紙部はその内側となる紙面に秘匿情報が印刷されて前記ミシン目と反対側の辺どうしを綴じ合わせるか、秘匿情報の印刷なしに前記ミシン目の側どうしを綴じ合わせるか、それらの綴じ状態を複合させたことを主たる特徴としている。
【００１０】
これを実現する冊子体の製造方法としては、第一の冊子用紙部幅分と第二の冊子用紙部幅分の幅を有して長手方向に連続した複数のロール紙を搬送しながら、第一の冊子用紙部と第二の冊子用紙部との間に冊子分離用のミシン目を連続に入れる工程と、冊子分離用のミシン目が入れられた複数のロール紙を搬送しながら重畳させて、それらの第一の冊子用紙部どうしは前記ミシン目と反対側の辺どうしを連続に綴じ合わせ、第二の冊子用紙部は前記ミシン目と反対側の辺どうしか、前記ミシン目の側どうしか、それらを複合させて連続に綴じ合わせて、第一の冊子用紙部の内側となる紙面を秘匿紙面とし、第二の冊子用紙部の内側となる紙面を前記ミシン目側で綴じる場合に限って秘匿紙面とする工程と、前記第一、第二の冊子用紙部の紙面に綴じ工程前に必要情報の印刷をし、秘匿紙面とされる紙面への印刷は秘匿情報のみ、または秘匿情報を含んで行う工程と、綴じ合わせ後の複数のロール紙を、長手方向の冊子体単位に裁断して第一、第二の冊子用紙部がミシン目を介し一連に並んだ冊子体に分割する工程と、を少なくとも備えたことを特徴とするもので足りる。
【００１１】
これらの構成では、第一の冊子用紙部と第二の冊子用紙部とが、分離用のミシン目を境に連接した綴じ構造となるので、ミシン目で切り離すことにより、２つの冊子に分割することができる。しかも、第一の冊子用紙部は、そのミシン目とは反対の辺どうしが綴じられることと、第二の冊子用紙部がそのミシン目と反対の辺どうしか、ミシン目側どうしかが綴じられることとによって、ミシン目での前記分割が行われるまでその内側の頁全てがその連続頁数に関係なく見開きできない秘匿頁となり、個人情報などの秘匿すべき情報が印刷されていても前記分割されるまで隠蔽することができる。また、第二の冊子用紙部は、そのミシン目側どうしで綴じられていると前記分割が行われなくても全頁が見開きできて、秘匿冊子と非秘匿冊子とに分割できる綴じ構造を満足するし、ミシン目と反対の辺どうしが綴じられていると内側となる全頁がその連続頁数に関係なく見開けない秘匿頁となり、秘匿すべき情報が印刷されていても前記分割されるまで隠蔽することができて、秘匿冊子どうしに分割できる綴じ構造を満足する。しかも、第二の冊子用紙部は、前記ミシン目側どうしの綴じ構造と、ミシン目と反対側の辺どうしの綴じ構造とを複合させることで、見開き頁と非見開き頁とが複合した秘匿、非秘匿複合冊子とすることができる。
【００１２】
もっとも、第二の冊子用紙部においても同様のことができる。
【００１３】
用紙は、第一の冊子用紙部または第二の冊子用紙部を有していないものを含むことができる。
【００１４】
綴じ部が、糊付けであることにより、綴じ構造が簡略化し、連続紙を用いた連続処理が可能となる。
【００１５】
複数枚の用紙に、名寄せ用バーコードを設けてあると、自動的な名寄せ処理に貢献でき、環境にも優しいものとなる。
【００１６】
冊子体の製造方法において、秘匿情報の印刷は、綴じられる直前の工程で行うことにより、秘匿情報が製造従事者に対しても隠蔽できる。
【発明の効果】
【００１７】
本発明によれば、見開けず秘匿情報を隠蔽しておける秘匿情報冊子体どうしか、秘匿情報冊子と見開ける非秘匿情報冊子との一体化で、製造から最終ユーザに届くまでの必要手数を半減する経済性を確保して、しかも、最終ユーザにおいてそれを分離することで、目的や内容、対象者の異なった２つの冊子を非秘匿情報冊子として個別に得られ、分離者のみが隠蔽情報冊子を見開ける環境が実現する。
【発明を実施するための最良の形態】
【００１８】
以下、図面を参照して本発明の実施例について説明する。
【００１９】
図１（ａ）は本発明に係る冊子体の第一の実施例の断面図である。図１（ｂ）は図１（ａ）の中間体を示す斜視図である。図２は本発明に係る冊子体の第二の実施例の断面図である。図１（ａ）・図１（ｂ）のように冊子体１００は複数の用紙を重ね合わせてなる第一の冊子１０１と第二の冊子１０２から構成されている。冊子体１００を構成する重ね合わせ用紙ａ・ｂ・ｃは各冊子のページが正しく配置されるように各々第一の冊子用紙部１ａ・１ｂ・１ｃと第二の冊子用紙部２ａ・２ｂ・２ｃが切り離し可能なミシン目５を介して連接されており、第一の冊子用紙部１ａ・１ｂの内側となる紙面に秘匿情報１０ａ・１０ｃが印刷されて前記ミシン目５と反対側の辺どうしを第一の冊子１０１の綴じ部３として綴じ合わせ、さらに第二の冊子用紙部２ａ・２ｂの内側となる紙面に秘匿情報１０ｂ・１０ｄが印刷されて前記ミシン目５と反対側の辺どうしを第二の冊子１０２の綴じ部４として綴じ合わせたことを特徴とする。
【００２０】
この冊子体１００は次のように製造する。第一の実施例においては１０１を付した第一の冊子と１０２を付した第二の冊子を親子向けパンフレットとして作成することを予定している。用紙ａの表面には第一の冊子用紙部１ａの１ページ目に相当する非秘匿情報１１と第二の冊子用紙部２ａの１ページ目に相当する非秘匿情報２１を配置し、同様に裏面には第一の冊子用紙部１ａの２ページ目に相当する非秘匿情報１２と第二の冊子用紙部２ａの２ページ目に相当する非秘匿情報２２を配置させる。以下同様に冊子体１００を構成したときに第一の冊子用紙部１ａ・１ｂ・１ｃと第二の冊子用紙部２ａ・２ｂ・２ｃのページが正しく配列されるように各用紙ｂ・ｃ毎に所定の非秘匿情報１３・１４・１６・２３・２４・２６を配置させるようにする。ここでいう非秘匿情報とはいわゆる固定情報と呼ばれる広告や案内、商品情報などであって、一般的には秘匿情報と呼ばない類のものである。このような非秘匿情報の印刷は一般的にプレ印刷と呼ばれるもので行う。各用紙は例えばビジネスフォーム用のオフセット輪転印刷装置を用いて、白紙の巻取り原紙から印刷とミシン目加工を施し、ロール状、または折り状の連続用紙としてプレ印刷を施す。ミシン目加工は冊子体を作成した後に切り離し可能になるように、用紙の種類や厚みに合わせて、適宜タイカット比を選択すればよい。プレ印刷に使用される印刷インキは油性インキやＵＶインキ、フレキソインキ、グラビアインキなど印刷方式にあわせて適宜選択すればよい。
【００２１】
つぎに各冊子用紙部に個人情報などの秘匿情報１０ａ・１０ｂ・１０ｃ・１０ｄを印字する。秘匿情報は個人を特定するものに限らず、暗証番号なども含まれる。すなわち各冊子用紙部のページ毎に情報内容が異なるため、プリンタ装置を使用するのが一般的である。また工程上、前記非秘匿情報１３（２３）であるプレ印刷の上面に秘匿情報１０ａ（１０ｂ）を印字する場合もあれば、用紙２ｃ上面に秘匿情報１０ｃ（１０ｄ）を印字する場合もある。前述のプレ印刷工程で得られたロール状または折り状の連続紙はプリンタ装置を用いて、各用紙２ａ・２ｂ・２ｃ単位でページ枚に秘匿情報を印字する。プリンタ装置はトナーを使用したレーザープリンタまたは液体インクを使用したインクジェットプリンタなどのノンインパクトプリンタ装置や、インクリボンを使用して圧力によって打刻印字するドットインパクトプリンタ、同様にインクリボンを使用して熱圧力によって印字する熱転写プリンタなどのインパクトプリンタ装置に大別され、適宜選択すればよい。秘匿情報は機械読取り可能なＯＣＲやバーコード２０を付けた返信ハガキなどの用紙として内包しておき、これらに宛名と同じ人の個人情報を出力しておくことも可能である。こうすることで返信ハガキなどの用紙の返送時の記入手間が省けるとともに、回収者は個人情報や管理ナンバーを機械処理することが可能となり、処理効率の向上が見込まれる。
【００２２】
つぎに各冊子用紙部である前記印刷済みの連続用紙ａ・ｂ・ｃをコレータにより帳合する。各冊子用紙部に個人情報等の秘匿情報を印字する冊子体を作成する場合においてはあらかじめ前記印刷工程においてバーコード２０を印刷しておけば、帳合時にコレータに設置したバーコード読取装置を用いて、ページがズレたりして他人の情報が冊子体に混入しないようにしておくことが可能となる。さらに冊子用紙部同士は第一の冊子用紙部１ａ・１ｂ・１ｃと第二の冊子用紙部２ａ・２ｂ・２ｃが切り離し可能なミシン目５を介して連接されているので、第一の冊子用紙部１ａ・１ｂ・１ｃは前記ミシン目５と反対側の辺どうしをライングルーにより第一の冊子１０１の綴じ部３として綴じ合わせ、さらに第二の冊子用紙部２ａ・２ｂ・２ｃは前記ミシン目５と反対側の辺どうしをライングルーにより第二の冊子１０２の綴じ部４として綴じ合わせて、全体が外れないようにし、最終的に帳合の流れ方向に個別に裁断して冊子体１００を得ることになる。
【００２３】
このようにして製造された図１（ａ）に示す冊子体１００は、第一の冊子用紙部１ａ・・と第二の冊子用紙部２ａ・・が切り離し可能なミシン目５を介して連接された複数の用紙を重ね合わせ、第一の冊子用紙部１ａ・・は前記ミシン目５と反対側の辺どうしを綴じ合わせて第一の冊子１０１の綴じ部３として接着しており、第二の冊子用紙部２ａ・・は前記ミシン目５と反対側の辺どうしを綴じ合わせて第二の冊子１０２の綴じ部４として接着しているので、第一の冊子１０１だけでなく、第二の冊子１０２もミシン目５を切り離さない限り、簡単に秘匿情報を閲覧することができなくなり、第三者に対して閲覧の抑止効果をもたらせることができる。
【００２４】
また図２は本発明に係る冊子体の第二の実施例の断面図である。同様に冊子体１００は複数の用紙を重ね合わせてなる第一の冊子１０１と第二の冊子１２１から構成されている。冊子体１００を構成する重ね合わせ用紙ａ・ｂ・ｃは各冊子のページが正しく配置されるように各々第一の冊子用紙部１ａ・１ｂ・１ｃと第二の冊子用紙部２ａ・２ｂ・２ｃが切り離し可能なミシン目５を介して連接されており、第一の冊子用紙部１ａ・１ｂの内側となる紙面に秘匿情報１０ａ・１０ｃが印刷されて前記ミシン目５と反対側の辺どうしを第一の冊子１０１の綴じ部３として綴じ合わせ、さらに第二の冊子用紙部２ａ・２ｂの内側となる紙面に秘匿情報１０ｂ・１０ｄが印刷されて前記ミシン目５の沿う側の辺どうしを第二の冊子１２１の綴じ部４として綴じ合わせたことを特徴としている。この場合第一の冊子１０１だけに秘匿情報を印字している場合に有用である。つまり第一の冊子１０１は第一の冊子１０１の綴じ部３と第二の冊子１２１の綴じ部４の間に配置されているので、ミシン目５を切り離さない限り、簡単に秘匿情報を閲覧することができなくなり、第三者に対して閲覧の抑止効果をもたらせることが可能となる。第二の冊子１２１はあらかじめ第三者に見られても困らないような情報を印刷する設計を行えばよい。
【００２５】
ここに、本実施の形態の冊子体１００は、別の観点から、図１に示すように第一の冊子用紙部１ａ、１ｂ、１ｃ・・と第二の冊子用紙部２ａ、２ｂ、２ｃ・・が切り離し可能なミシン目５を介して連接された複数の用紙を重ね合わせ、第一の冊子用紙部１ａ、１ｂ、１ｃ・・はその内側となる必要な紙面の必要な箇所に秘匿情報１０ａ、１０ｃが印刷されて前記ミシン目５と反対側の辺どうしを糊付けなどによる綴じ部３にて綴じ合わせ、第二の冊子用紙部２ａ、２ｂ、２ｃ・・はその内側となる必要な紙面の必要な箇所に秘匿情報１０ｂ、１０ｄが印刷されて前記ミシン目と反対側の辺どうしを糊付けなどによる綴じ部４にて綴じ合わせるか、図２に示すように秘匿情報の印刷なしに前記ミシン目５の側どうしを糊付けなどによる綴じ部４にて綴じ合わせるかするのに加え、図示しないがそれらの綴じ状態を複合させられる。もっとも、図１、図２の例で代表して示している非秘匿情報１１〜１４、１６、２１〜２６のように、どの紙面のどの箇所にあってもよい。また、印刷をしない紙面もどの用紙部のどの箇所にあってもよい。
【００２６】
このような冊子体１００の製造方法の具体例としては、図４に示すような第1冊子用紙部１ａ、１ｂ、１ｃ・・の幅分と第二の冊子用紙部２ａ、２ｂ、２ｃ・・の幅分との合計幅を有して長手方向に連続した複数のロール紙１、１、１・・を図３（ｂ）に示すように搬送しながら、第一の冊子用紙部１ａ、１ｂ、１ｃ・・と第二の冊子用紙部２ａ、２ｂ、２ｃ・・との間に図４に示すような冊子分離用のミシン目５を図３（ａ）に示すような縦ミシン加工部５０にて連続に入れる工程と、冊子分離用のミシン目５が入れられた複数のロール紙１、１、１・・を搬送しながら図３（ｂ）に示すように重畳させて、それらの第一の冊子用紙部１ａ、１ｂ、１ｃ・・どうしは図１、図２に示すように前記ミシン目５と反対側の辺どうしを図３（ｂ）に示すような糊塗工部５３で塗工した糊剤などによる連続な綴じ部３で綴じ合わせ、第二の冊子用紙部２ａ、２ｂ、２ｃ・・は図１に示すように前記ミシン目５と反対側の辺どうしか、図２に示すように前記ミシン目５の側どうしか、図示しないがそれらを複合させて連続な綴じ部４で綴じ合わせて、第一の冊子用紙部１ａ、１ｂ、１ｃ・・の内側となる紙面を秘匿紙面とし、第二の冊子用紙部２ａ、２ｂ、２ｃ・・の内側となる紙面を前記ミシン目５側で綴じる場合に限って秘匿紙面とする工程と、前記第一、第二の冊子用紙部１ａ・・、２ａ・・の紙面に図３（ａ）（ｂ）に示すように非秘匿情報印刷部５１や秘匿情報印字部５２などによって部綴じ工程前、つまりロール紙１、１、１・・どうしの重ね合わせ前に、必要情報の印刷をし、秘匿紙面とされる紙面への印刷は秘匿情報１０ａ〜１０ｄのみ、あるいはこれら秘匿情報を含んで、非秘匿情報１１〜１１４、１６、２１〜２６などとともに行う工程と、綴じ合わせ後の複数のロール紙１・・を、長手方向の冊子体１００単位に図３（ｂ）に示すようなカッター５４などで裁断して第一、第二の冊子用紙部１ａ・・、２ａ・・がミシン目５を介し一連に並んだ冊子体１００に分割する工程と、を少なくとも備えればよい。
【００２７】
図示例では、図３（ａ）に示すように非秘匿情報１１〜１４、１６、２１〜２６の全てと秘匿情報１０ａ〜１０ｄの一部とを印刷および印字し、かつミシン目５およびマージナル孔・スリット加工部５５による図４に示すようなマージナル孔５６を予め設けた複数種類のロール紙１・・を製造しておき、これら複数のロール紙１・・を図３（ｂ）に示すように重ね合わて上記各態様に綴じ部３、４で綴じ合わせながら、綴じ合わせの前に秘匿情報１０ａ〜１０ｄの残り部分を印字し、また、綴じあわせ後にマージナル孔・スリット加工部５５によるマージナル孔５６部分の裁断と、カッター５４による冊子体１００単位への裁断とを行っている。しかし、各工程の前後は可能な限り自由であり、種々な方法を採用することができる。図３（ａ）での工程で秘匿情報１０ａ〜１０ｄを印字してもロール紙１・・として取り扱われるのでそれらが製造段階で閲覧されてしまうことにはならない。図３（ｂ）に示すように綴じ合わせの直前で秘匿情報１０ａ〜１０ｄを印字するとそれが閲覧されるようなことを特に回避しやすい。
【００２８】
このようにした冊子体１００は、第一の冊子用紙部１ａ・・と第二の冊子用紙部２ａ・・とが、分離用のミシン目５を境に連接した綴じ構造となるので、ミシン目５で切り離すことにより、２つの冊子体１０１、１０２の組、あるいは冊子体１０１、１２１の組に分割することができる。しかも、第一の冊子用紙部１ａ・・は、そのミシン目５とは反対の辺どうしが綴じ部３で綴じられることと、第二の冊子用紙部２ａ・・がそのミシン目５と反対の辺どうしか、ミシン目５側どうしかが綴じ部４で綴じられることとによって、ミシン目５での前記分割が行われるまでその内側の頁全てがその連続頁数に関係なく見開きできない秘匿頁となり、個人情報などの秘匿すべき情報が印刷されていても前記分割されるまで隠蔽することができる。また、第二の冊子用紙部２ａ・・は、そのミシン目５側どうしが綴じ部４で綴じられていると前記分割が行われなくても全頁が見開きできて、秘匿冊子体１０１と非秘匿冊子体１２１とに分割できる綴じ構造を満足するし、ミシン目５と反対の辺どうしが綴じ部４で綴じられていると内側となる全頁がその連続頁数に関係なく見開けない秘匿頁となり、秘匿すべき情報が印刷されていても前記分割されるまで隠蔽することができて、秘匿情報用の冊子０１、１０２どうしに分割できる綴じ構造を満足する。従って、見開けず秘匿情報を隠蔽しておける秘匿情報用の冊子１０１、１０２どうしか、秘匿情報用の冊子１０１と見開ける非秘匿情報用の冊子１２１との一体化で、製造から最終ユーザに届くまでの必要手数を半減する経済性を確保して、しかも、最終ユーザにおいてそれを分離することで、目的や内容、対象者の異なった２つの冊子１００を非秘匿情報用の冊子１０１、１０２として始めて個別に得られ、分離者のみが秘匿情報用の冊子１０１，１０２として見開ける環境が実現する。
【００２９】
しかも、第二の冊子用紙部２ａ・・は、前記ミシン目５側どうしの綴じ構造と、ミシン目５と反対側の辺どうしの綴じ構造とを複合させることで、見開き頁と非見開き頁とが複合した秘匿、非秘匿情報を持った複合冊子とすることができる。もっとも、このようなことは、第二の冊子用紙部１ａ・・においても同様のことができる。なお、綴じ部３、４が、上記の例のように糊付けであることにより、綴じ構造が簡略化し、連続したロール紙１・・を用いた連続処理が可能となる。
【００３０】
ところで、冊子体１００を構成する用紙は、第一の冊子用紙部１ａ・・および第二の冊子用紙部２ａ・・の一方を有していないものを含むことができる。図５〜図７のそれぞれに各例を示している。図５の例は、秘匿情報用の冊子１０１、１０２どうしが連接した綴じ部３、４を有したものであるが、冊子１０２の側が第二の冊子用紙部２ａ、２ｃだけの組合せとなって、先の第二の冊子用紙部２ｂが省略されている。図６に示す例では、秘匿情報用の冊子１０１と非秘匿情報用の冊子体１２１とが連接した綴じ部３、４を有したものであるが、非秘匿情報用の冊子１０２の側が第二の冊子用紙部２ａ、２ｃだけの組合せとなって、先の第二の冊子用紙部２ｂが省略されている。図７に示す例では第一の冊子用紙部１ａ・・の側を非秘匿情報用の冊子１２１とする綴じ部３を有し、第二の冊子用紙部２ａ・・を秘匿情報用の冊子１０１とする綴じ部４を有したものとし、秘匿情報用の冊子１０１の側が第二の冊子用紙部２ａ、２ｃのみとし、第二の冊子用紙部２ｂが省略されている。
【産業上の利用可能性】
【００３１】
本発明は２つの冊子をその一方または双方は秘匿情報を隠蔽できるものとして、１つの冊子体として製造段階から最終ユーザに届くまで取り扱える新規な冊子体を提供でき、最終ユーザにおいて個別な冊子体として見開いて種々な用に供せる。
【図面の簡単な説明】
【００３２】
【図１】本発明の実施の形態に係る冊子体の１つの例を示し、（ａ）は断面図、（ｂ）は（ａ）の中間体を示す斜視図。
【図２】本発明の実施の形態に係る冊子体の別の例を示す断面図。
【図３】本発明の実施の形態に係る冊子体の製造方法を示し、（ａ）は冊子体用のロール紙を製造する段階の説明図、（ｂ）は（ａ）のロール紙を複数重ね合わせて冊子体を製造する段階の説明図。
【図４】図３の段階に提供する複数のロール紙を示す斜視図。
【図５】本発明の実施の形態に係る冊子体の他の例を示す断面図。
【図６】本発明の実施の形態に係る冊子体の今１つの例を示す断面図。
【図７】本発明の実施の形態に係る冊子体のさらに別の例を示す断面図。
【符号の説明】
【００３３】
１００        冊子体
１０１、１０２  秘匿情報用の冊子
１２１  非秘匿情報用の冊子
１  ロール紙
１ａ、１ｂ、１ｃ  第一の冊子用紙部
２ａ、２ｂ、２ｃ  第二の冊子用紙部
３  第一の冊子の綴じ部
４  第二の冊子の綴じ部
５  ミシン目
１１〜１４、１６  第一の冊子の非秘匿情報
１０ａ、１０ｃ  第一の冊子の秘匿情報
２１〜２６  第二の冊子の非秘匿情報
１０ｂ、１０ｄ  第二の冊子の秘匿情報
２０  バーコード
【図１】
2006205706.tif 000003
【図２】
2006205706.tif 000004
【図３】
2006205706.tif 000005
【図４】
2006205706.tif 000006
【図５】
2006205706.tif 000007
【図６】
2006205706.tif 000008
【図７】
2006205706.tif 000009